(57)【要約】  遊技装置（１）であって、リール（２）と、液晶モジュール（６）と、液晶モジュール用シームレスレンズ（７）と、リール用シームレスレンズ（４）とは、遊技装置（１）の背面側からこの順に配置され、液晶モジュール用シームレスレンズ（７）は、下端部（７ｂ）が、曲率半径（Ｒ１）を有するように形成されており、リール用シームレスレンズ（４）は、上端部（４ａ）が、曲率半径（Ｒ２）を有するように形成されており、液晶モジュール用シームレスレンズ（７）及びリール用シームレスレンズ（４）は、境界線（１２）が、下端部（７ｂ）及び上端部（４ａ）により隠蔽されるように配置されている。
2011081158.tif 000002
【特許請求の範囲】
【請求項１】
液晶表示装置と、回転胴体機と、上記回転胴体機の内部で上記回転胴体機を照らす回転胴体機用光源とを備える遊技装置であって、
上記液晶表示装置の表示面を覆い、透明な第１の光学部材と、
上記回転胴体機の前面において上記回転胴体機と離間して配置され、透明な第２の光学部材とを備え、
上記回転胴体機と、上記液晶表示装置と、上記第１の光学部材と、上記第２の光学部材とは、上記遊技装置の背面側からこの順に配置され、
上記第１の光学部材は、厚み方向の断面形状の第１の端部が、第１の曲率半径を有するように形成されており、
上記第２の光学部材は、厚み方向の断面形状の第２の端部が、第２の曲率半径を有するように形成されており、
上記第１の光学部材及び上記第２の光学部材は、
自装置の前面であって上記表示面に垂直な方向から上記回転胴体機を見たときに、上記回転胴体機の、上記液晶表示装置により隠蔽される部分と、上記液晶表示装置により隠蔽されない部分との境界が、上記第１の端部及び上記第２の端部により隠蔽されるように配置されていることを特徴とする遊技装置。
【請求項２】
上記第１の端部と、上記第２の端部とは、上記第１及び第２の光学部材の厚み方向において重ねて配置されていることを特徴とする請求項１に記載の遊技装置。
【請求項３】
上記液晶表示装置は、さらに、液晶表示装置用光源を備えており、
上記液晶表示装置用光源は、上記液晶表示装置の周縁のうち、上記第１の端部にて覆われている部分を除いた配設部に設けられていることを特徴とする請求項１または２に記載の遊技装置。
【請求項４】
上記液晶表示装置は、さらに、液晶表示装置駆動回路を備えており、
上記液晶表示装置駆動回路は、上記配設部に設けられていることを特徴とする請求項３に記載の遊技装置。
【請求項５】
複数の上記液晶表示装置を備え、
複数の上記液晶表示装置は、それぞれの有する表示面が互いに重ならないように配置されていることを特徴とする請求項１〜４のいずれか１項に記載の遊技装置。
【請求項６】
上記第１の曲率半径と、上記第２の曲率半径とは、等しいことを特徴とする請求項１〜５のいずれか１項に記載の遊技装置。
【請求項７】
上記第１の光学部材及び上記第２の光学部材は、アクリルを含むことを特徴とする請求項１〜６のいずれか１項に記載の遊技装置。
【発明の詳細な説明】
【技術分野】
【０００１】
本発明は、液晶表示装置及びリールを備える遊技装置に関するものである。
【背景技術】
【０００２】
従来から、スロットマシンなどの遊技装置に、その情報表示部を構成する部品として液晶モジュール（液晶表示装置）が広く使われている。【０００３】
図６は、液晶モジュール１０３を用いる従来の遊技装置１０１の断面図である。遊技装置１０１は、ドラム状であるスロットリール１０２と、スロットリール１０２の斜め上方に配置される液晶モジュール１０３とを備えている。遊技者は、スロットリール１０２の表面に形成された役物を視認すると共に、液晶モジュール１０３に表示される情報を視認する。【０００４】
図６の遊技装置１０１と同様に、液晶表示装置を用いるものとして、特許文献１には、液晶成分を排除して構成した透過窓を略中央部分に有する略ドーナツ状の液晶表示装置を備える遊技機が開示されている。【０００５】
図７は、特許文献１の図１に対応する図であり、液晶モジュール（液晶表示装置）１０５を用いる従来の遊技機１０４の斜視図である。遊技機１０４では、透過型の液晶モジュール１０５の中央が刳り貫かれ（略ドーナツ状の液晶表示装置）、その刳り貫かれた部分にスロットリール１０６が設置されている。
【先行技術文献】
【特許文献】
【０００６】
【特許文献１】日本国公開特許公報「特開２００５−１２４７９０号公報（２００５年５月１９日公開）」
【発明の概要】
【発明が解決しようとする課題】
【０００７】
図６の遊技装置１０１では、液晶モジュール１０３が平面であるのに対してスロットリール１０２はドラム状である。このため、液晶モジュール１０３とスロットリール１０２との間に隙間部１０７を設けることにより、液晶モジュール１０３とスロットリール１０２との間に所定の距離を持たせなくてはならない。その結果、液晶モジュール１０３とスロットリール１０２との間において境界線が視認される。このため、液晶モジュール１０３に表示される動画像による演出と、スロットリール１０２の役物による演出とを連動させることが難しい。【０００８】
遊技装置１０１では、液晶モジュール１０３の発光方向と、スロットリール１０２の発光方向とが異なると共に、隙間部１０７が設けられている。よって、液晶モジュール１０３から発せられる光と、スロットリール１０２から発せられる光とが、それぞれ別方向に拡散する。従って、上記境界線が形成されると考えられる。【０００９】
また、特許文献１の図１に対応する図である図７の遊技機１０４においても、液晶モジュール１０５の刳り貫かれた部分と、スロットリール１０６との間で境界線が出来る。このため、液晶モジュール１０５に表示される動画像による演出と、スロットリール１０６による演出とを連動させることが難しい。【００１０】
本発明は、上記従来の問題点に鑑みなされたものであって、その目的は、液晶表示装置に表示される動画像による演出と、回転胴体機による演出とを連動させた多彩な演出が出来る遊技装置を提供することにある。
【課題を解決するための手段】
【００１１】
本発明の遊技装置は、上記課題を解決するために、液晶表示装置と、回転胴体機と、上記回転胴体機の内部で上記回転胴体機を照らす回転胴体機用光源とを備える遊技装置であって、上記液晶表示装置の表示面を覆い、透明な第１の光学部材と、上記回転胴体機の前面において上記回転胴体機と離間して配置され、透明な第２の光学部材とを備え、上記回転胴体機と、上記液晶表示装置と、上記第１の光学部材と、上記第２の光学部材とは、上記遊技装置の背面側からこの順に配置され、上記第１の光学部材は、厚み方向の断面形状の第１の端部が、第１の曲率半径を有するように形成されており、上記第２の光学部材は、厚み方向の断面形状の第２の端部が、第２の曲率半径を有するように形成されており、上記第１の光学部材及び上記第２の光学部材は、自装置の前面であって上記表示面に垂直な方向から上記回転胴体機を見たときに、上記回転胴体機の、上記液晶表示装置により隠蔽される部分と、上記液晶表示装置により隠蔽されない部分との境界が、上記第１の端部及び上記第２の端部により隠蔽されるように配置されていることを特徴とする。【００１２】
上記発明によれば、上記第１の光学部材及び上記第２の光学部材は、上記境界が、上記第１の端部及び上記第２の端部により隠蔽されるように配置されている。よって、上記液晶液晶表示装置から出射される光を、上記第１の端部において乱拡散させるとともに、上記回転胴体機用光源で上記回転胴体機を照らした後、上記第２の端部に照射される光を乱拡散させることが出来るので、上記境界が視認されにくくなる。【００１３】
これにより、上記液晶表示装置と上記回転胴体機とが一体化しているように見せることが可能となる。従って、上記液晶表示装置に表示される動画像による演出と、上記回転胴体機による演出とを連動させた多彩な演出が出来る遊技装置を提供することが出来るという効果を奏する。
【発明の効果】
【００１４】
本発明の遊技装置は、以上のように、液晶表示装置の表示面を覆い、透明な第１の光学部材と、回転胴体機の前面において上記回転胴体機と離間して配置され、透明な第２の光学部材とを備え、上記回転胴体機と、上記液晶表示装置と、上記第１の光学部材と、上記第２の光学部材とは、遊技装置の背面側からこの順に配置され、上記第１の光学部材は、厚み方向の断面形状の第１の端部が、第１の曲率半径を有するように形成されており、上記第２の光学部材は、厚み方向の断面形状の第２の端部が、第２の曲率半径を有するように形成されており、上記第１の光学部材及び上記第２の光学部材は、自装置の前面であって上記表示面に垂直な方向から上記回転胴体機を見たときに、上記回転胴体機の、上記液晶表示装置により隠蔽される部分と、上記液晶表示装置により隠蔽されない部分との境界が、上記第１の端部及び上記第２の端部により隠蔽されるように配置されているものである。【００１５】
それゆえ、液晶表示装置に表示される動画像による演出と、回転胴体機による演出とを連動させた多彩な演出が出来る遊技装置を提供するという効果を奏する。
【図面の簡単な説明】
【００１６】
【図１】本実施形態に係る遊技装置を示す説明図であり、（ａ）は、本実施形態に係る遊技装置を示す斜視図であり、（ｂ）は、本実施形態に係る遊技装置を示す断面図である。
【図２】本実施形態に係る遊技装置を示す説明図であり、（ａ）は本発明の実施形態に係る遊技装置における曲率半径を示す部分断面図であり、（ｂ）は（ａ）の部分断面図に示す箇所において光の乱拡散が起こることを示す図である。
【図３】本実施形態に係る遊技装置を示す説明図であり、（ａ）は、本実施形態に係る遊技装置において、リール用シームレスレンズの上端部と、液晶モジュール用シームレスレンズの下端部とが重ねて配置されていることを示す部分断面図であり、（ｂ）は（ａ）の部分断面図に示す箇所において光の乱拡散が起こることを示す図である。
【図４】本実施形態に係る他の遊技装置の正面図である。
【図５】本実施形態に係るさらに別の遊技装置の正面図である。
【図６】液晶表示装置を用いる従来の遊技装置の断面図である。
【図７】特許文献１の図１に対応する図であり、液晶モジュールを用いる従来の遊技機の斜視図である。
【発明を実施するための形態】
【００１７】
本発明の一実施形態について図１〜図５に基づいて説明すれば、以下の通りである。
【００１８】
〔遊技装置１〕
図１は、本実施形態に係る遊技装置１を示す説明図である。図１の（ａ）は、本実施形態に係る遊技装置１を示す斜視図である。図１の（ｂ）は、本実施形態に係る遊技装置１を示す断面図である。遊技装置１は、遊技装置１の背面側から順に、ドラム状のリール２（回転胴体機）と、シームレス液晶モジュール３と、透明なリール用シームレスレンズ４（第２の光学部材）と、を備えている。リール２は、内部にリール用光源２５（回転胴体機用光源）を有している。リール２は、その表面２ａに役物５が形成されており、遊技装置１がスロット機である場合は、設置することが義務付けられている。
【００１９】
シームレス液晶モジュール３は、リール２の斜め上方に設けられており、シームレス液晶モジュール３とリール２との間には、隙間部１０が形成されている。具体的には、リール２が回転すると、リール２の回転に応じて役物５も移動し、図１の（ｂ）に示すように、シームレス液晶モジュール３の表示面８と役物５とがＹＺ平面において略平行になる。
【００２０】
シームレス液晶モジュール３は、液晶モジュール６（液晶表示装置）と、液晶モジュール６の表示面８を覆い、透明な液晶モジュール用シームレスレンズ７（第１の光学部材）とを有している。また、液晶モジュール用シームレスレンズ７は、アクリルを含む板であり、アクリル板であれば好ましい。液晶モジュール用シームレスレンズ７の、上端部７ａ及び下端部７ｂ（厚み方向の断面形状の端部、第１の端部）は、曲率半径Ｒ１（第１の曲率半径、図２の（ａ）に図示）を有するように面取り（形成）されている。
【００２１】
液晶モジュール６は、図１の（ｂ）示すように、モジュール駆動回路２０と光源２１〜２３とを有している。具体的には、モジュール駆動回路２０は、液晶モジュール用シームレスレンズ７の上端部７ａに沿うように設けられている。光源２１（図示せず）は、液晶モジュール用シームレスレンズ７の左端部７ｃに沿うように設けられている。光源２２は、液晶モジュール用シームレスレンズ７の右端部７ｄに沿うように設けられている。光源２３は、液晶モジュール用シームレスレンズ７の下端部７ｂに沿うように設けられている。
【００２２】
上端部７ａが面取りされていることにより、液晶モジュール６の表示面８と、液晶モジュール６の表示面８を囲むように設けられている板金９との境界線１１ａにおいて、光（可視光線）を乱拡散させることが出来る。従って、境界線１１ａが視認されにくくなる。
【００２３】
同様に、下端部７ｂが面取りされていることにより、シームレス液晶モジュール３の表示面８と、シームレス液晶モジュール３の表示面を囲むように設けられている板金９との境界線１１ｂにおいて、光を乱拡散させることが出来る。従って、境界線１１ｂが視認されにくくなる。
【００２４】
なお、液晶モジュール用シームレスレンズ７は、上端部７ａ及び下端部７ｂが面取りされているが、左端部７ｃ及び右端部７ｄも同様に面取りされても良い。これにより、シームレス液晶モジュール３の表示面８と、シームレス液晶モジュール３の表示面を囲むように設けられている板金９との境界線１１ｃ，１１ｄにおいても、光を乱拡散させることが出来る。従って、境界線１１ｃ，１１ｄが視認されにくくなる。
【００２５】
リール用シームレスレンズ４は、アクリルを含む板であり、アクリル板であれば好ましい。また、リール用シームレスレンズ４は、リール用シームレスレンズ４の面４’が、シームレス液晶モジュール３の表示面８とＹＺ平面において平行になるように、リール２の前面においてリール２と離間して配置されている。リール用シームレスレンズ４の上端部４ａ（厚み方向の断面形状の端部、第２の端部）は、曲率半径Ｒ２（第２の曲率半径、図２の（ａ）に図示）を有するように面取りされている。
【００２６】
ここで、液晶モジュール用シームレスレンズ７及びリール用シームレスレンズ４は、遊技装置１の前面であって表示面８に垂直な方向（Ｘ方向）からリール２を見たときに、リール２の、液晶モジュール６により隠蔽される部分と、液晶モジュール６により隠蔽されない部分との境界線１２（境界）が、下端部７ｂ及び上端部４ａにより隠蔽されるように配置されている。
【００２７】
よって、液晶モジュール６から出射される光を、下端部７ｂにおいて乱拡散させるとともに、リール用光源２５でリール２を照らした後、上端部４ａに照射される光を乱拡散させることが出来るので、境界線１２が視認されにくくなる。
【００２８】
これにより、液晶モジュール６とリール２とが一体化しているように見せることが可能となる。従って、液晶モジュール６に表示される動画像による演出と、リール２による演出とを連動させた多彩な演出が出来る遊技装置１を提供することが出来るという効果を奏する。
【００２９】
なお、リール用シームレスレンズ４は、上端部４ａが面取りされているが、下端部４ｂ、左端部４ｃまたは右端部４ｄも同様に面取りされても良い。これにより、リール２を照らした後、下端部４ｂ、左端部４ｃまたは右端部４ｄに照射される光を乱拡散させることが出来る。
【００３０】
図２は、本実施形態に係る遊技装置１を示す説明図である。図２の（ａ）は、本実施形態に係る遊技装置１における曲率半径Ｒ１，Ｒ２を示す部分断面図である。図２の（ｂ）は、図２の（ａ）の部分断面図に示す箇所において光の乱拡散が起こることを示す図である。
【００３１】
図２の（ａ）に示すように、液晶モジュール用シームレスレンズ７の下端部７ｂは、曲率半径Ｒ１を有するように面取りされている。また、リール用シームレスレンズ４の上端部４ａは、曲率半径Ｒ２を有するように面取りされている。
【００３２】
このように各シームレスレンズを設けた状態で、隙間部１０から光１３が照射されると、図２の（ｂ）に示すように、リール用シームレスレンズ４の上端部４ａにおいて、レンズ作用による光の乱拡散が起こる、これにより、リール２とシームレス液晶モジュール３との境界線１２（図１の（ａ）に図示）が視認されにくくなる。
【００３３】
なお、図２の（ａ）では下端部７ｂの曲率半径Ｒ１と、上端部４ａの曲率半径Ｒ２とは、異なっているが、下端部７ｂの曲率半径と上端部４ａの曲率半径とを等しくしてもよい。
【００３４】
図３は、本実施形態に係る遊技装置１を示す説明図である。図３の（ａ）は、本実施形態に係る遊技装置１において、リール用シームレスレンズ４の上端部４ａと、液晶モジュール用シームレスレンズ７の下端部７ｂとが重ねて配置されていることを示す部分断面図である。図３の（ｂ）は、図３の（ａ）の部分断面図に示す箇所において光の乱拡散が起こることを示す図である。
【００３５】
遊技装置１では、図３の（ａ）に示すように、リール用シームレスレンズ４の上端部４ａと、液晶モジュール用シームレスレンズ７の下端部７ｂとは、シームレスレンズの厚み方向（図１及び図３におけるＸ方向）において重ねて配置されていてもよい（図３参照）。上述したように、上端部４ａと下端部７ｂとは、それぞれ曲率半径を有している。よって、液晶モジュール６から出射される光を下端部７ｂにおいて乱拡散させるとともに、リール２から境界線１２を介して出射される光を上端部４ａにおいて乱拡散させる。従って、下端部７ｂ及び上端部４ａによって乱拡散が２回生じるので、境界線１２がさらに視認されにくくなる。
【００３６】
〔液晶モジュールの変形例〕
本実施形態に係る遊技装置１が有する液晶モジュール６の構成については既に示したがは、以下の構成としてもよい。
【００３７】
図４は、本実施形態に係る他の遊技装置３１の正面図である。遊技装置３１は、図１の遊技装置１において、液晶モジュール６を液晶モジュール６’に置き換えた遊技装置である。
【００３８】
液晶モジュール６’は、液晶モジュール６’用の光源（液晶表示装置用光源）及びモジュール駆動回路（液晶表示装置駆動回路）を備えている。
【００３９】
この時、液晶モジュール６’用の光源は、液晶モジュール６’の周縁のうち、下端部７ｂにて覆われている被覆部３２（第１の端部にて覆われている部分）を除いた配設部３３〜３５に設けられている。
【００４０】
また、上記モジュール駆動回路も、液晶モジュール６’用の光源と同様に、液晶モジュール６’の周縁のうち、下端部７ｂにて覆われている被覆部３２を除いた配設部３３〜３５に設けられている。
【００４１】
このように、遊技装置３１の液晶モジュール６’は、液晶モジュール用シームレスレンズ７の下端部７ｂに沿って光源２３が設けられている液晶モジュール６と以下の点で異なっている。即ち、遊技装置３１の液晶モジュール６’は、下端部７ｂにて覆われている被覆部３２には光源及びモジュール駆動回路を設けず、下端部７ｂにて覆われている被覆部３２を除く配設部３３〜３５の少なくとも１つに光源及び駆動回路を設けている。これにより、液晶モジュール６’の周縁のうち、下端部７ｂにて覆われている被覆部３２に液晶モジュール６’の額縁を設ける必要がなくなる。よって、液晶モジュール６’の表示面とリール用シームレスレンズと４とを隣接して配置することが可能となる。
【００４２】
従って、液晶モジュール６’の表示面における演出と、リール用シームレスレンズ４を介したリール２における演出とを連動させた多彩な演出が出来るという効果を奏する。
【００４３】
図５は、本実施形態に係るさらに別の遊技装置４１の正面図である。遊技装置４１は、図４の遊技装置３１において、リール２をリール２’とし、液晶モジュール６’’を追加した遊技装置である。
【００４４】
液晶モジュール６’’は、液晶モジュール６’’用の光源（液晶表示装置用光源）及びモジュール駆動回路（液晶表示装置駆動回路）を備えており、表示面を液晶モジュール用シームレスレンズ７’で覆われている。なお、図５において符号７ｂ’で示す部分は、液晶モジュール用シームレスレンズ７’の上端部であり、下端部７ｂと同様に曲率半径Ｒ１を有している。
【００４５】
この時、液晶モジュール６’’用の光源は、液晶モジュール６’’の周縁のうち、上端部７ｂ’にて覆われている被覆部４２（第１の端部にて覆われている部分）を除いた配設部４３〜４５に設けられている。
【００４６】
また、上記モジュール駆動回路も、液晶モジュール６’’用の光源と同様に、液晶モジュール６’’の周縁のうち、上端部７ｂ’にて覆われている被覆部４２を除いた配設部４３〜４５に設けられている。
【００４７】
このように、遊技装置４１の液晶モジュール６’は、下端部７ｂにて覆われている被覆部３２には光源及びモジュール駆動回路を設けず、下端部７ｂにて覆われている被覆部３２を除く配設部３３〜３５の少なくとも１つに光源及び駆動回路を設けている。また、遊技装置４１の液晶モジュール６’’は、上端部７ｂ’にて覆われている被覆部４２には光源及びモジュール駆動回路を設けず、上端部７ｂ’にて覆われている被覆部４２を除く配設部４３〜４５の少なくとも１つに光源及び駆動回路を設けている。
【００４８】
これにより、液晶モジュール６’の周縁のうち、下端部７ｂにて覆われている被覆部３２に、液晶モジュール６’の額縁を設ける必要がなくなる。また、液晶モジュール６’’の周縁のうち、上端部７ｂ’（第１の端部）にて覆われている被覆部４２に、液晶モジュール６’’の額縁を設ける必要がなくなる。よって、液晶モジュール６’，６’’の表示面と、リール用シームレスレンズ４とを隣接して配置することが可能となる。
【００４９】
従って、液晶モジュール６’，６’’の表示面における演出と、リール用シームレスレンズ４を介したリール２’における演出とを連動させた多彩な演出が出来るという効果を奏する。
【００５０】
なお、遊技装置３１，４１における光源及びモジュール駆動回路の配置は、例示であり、光源及びモジュール駆動回路を、覆われている部分被覆部３２，４２に設けない構成であればよい。
【００５１】
また、遊技装置４１は液晶モジュールを２つ備えているが、２つよりも多い複数備えてもよい。また、遊技装置１，３１も同様に、液晶モジュールを複数備えてもよい。液晶モジュールを複数備える場合、複数の液晶モジュールそれぞれの有する表示面が、互いに重ならないように配置されていればよい。
これにより、複数の液晶モジュールが設けられている遊技装置においても、複数の液晶モジュールとリールとが一体化しているように見せることが可能となる。従って、複数の液晶モジュールに表示される動画像による演出と、リールによる演出とを連動させたさらに多彩な演出が出来る遊技装置を提供することが出来る。
【００５２】
上記遊技装置では、上記第１の端部と、上記第２の端部とは、上記第１及び第２の光学部材の厚み方向において重ねて配置されていてもよい。
【００５３】
上記液晶表示装置から出射される光を、上記第１の端部において乱拡散させるとともに、上記回転胴体機から上記境界を介して出射される光を上記第２の端部において乱拡散させる。従って、上記第１の端部及び上記第２の端部によって乱拡散が２回生じるので、上記境界がさらに視認されにくくなる。
【００５４】
上記遊技装置では、上記液晶表示装置は、さらに、液晶表示装置用光源を備えており、上記液晶表示装置用光源は、上記液晶表示装置の周縁のうち、上記第１の端部にて覆われている部分を除いた配設部に設けられていてもよい。
【００５５】
上記配設部に上記液晶表示装置用光源を設けることにより、上記液晶表示装置の周縁のうち、上記第１の端部にて覆われている部分に上記液晶表示装置の額縁を設ける必要がなくなる。よって、上記液晶表示装置の表示面と上記第２の光学部材とを隣接して配置することが可能となる。
【００５６】
従って、上記液晶表示装置の表示面における演出と、上記第２の光学部材を介した上記回転胴体機における演出とを連動させた多彩な演出が出来るという効果を奏する。
【００５７】
上記遊技装置では、上記液晶表示装置は、さらに、液晶表示装置駆動回路を備えており、上記液晶表示装置駆動回路は、上記配設部に設けられていてもよい。
【００５８】
上記配設部に上記液晶表示装置駆動回路を設けることにより、上記液晶表示装置の周縁のうち、上記第１の端部にて覆われている部分に上記液晶表示装置の額縁を設ける必要がなくなる。よって、上記液晶表示装置の表示面と、上記第２の光学部材とを隣接して配置することが可能となる。
【００５９】
従って、上記液晶表示装置の表示面における演出と、上記第２の光学部材を介した上記回転胴体機における演出とを連動させた多彩な演出が出来るという効果を奏する。
【００６０】
上記遊技装置では、複数の上記液晶表示装置を備え、複数の上記液晶表示装置は、それぞれの有する表示面が互いに重ならないように配置されていてもよい。これにより、複数の上記液晶表示装置が設けられている上記遊技装置においても、複数の上記液晶表示装置と上記回転胴体機とが一体化しているように見せることが可能となる。従って、複数の上記液晶表示装置に表示される動画像による演出と、上記回転胴体機による演出とを連動させたさらに多彩な演出が出来る遊技装置を提供することが出来る。
【００６１】
上記遊技装置では、上記第１の曲率半径と、上記第２の曲率半径とは、等しくてもよい。
【００６２】
また、上記遊技装置では、上記第１の光学部材及び上記第２の光学部材は、アクリルを含んでもよい。
【００６３】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００６４】
本発明の遊技装置は、液晶表示装置に表示される動画像による演出と、回転胴体機による演出とを連動させた多彩な演出が出来るので、パチンコ台及びスロットマシンに好適に用いることが出来る。
【符号の説明】
【００６５】
１，３１，４１  遊技装置
２，２’  リール（回転胴体機）
２ａ  表面
３  シームレス液晶モジュール
４  リール用シームレスレンズ（第２の光学部材）
４ａ  上端部（第２の端部）
４ｂ  下端部
４ｃ  左端部
４ｄ  右端部
５  役物
６  液晶モジュール（液晶表示装置）
６’，６’’  液晶モジュール
７  液晶モジュール用シームレスレンズ（第１の光学部材）
７’  液晶モジュール用シームレスレンズ
７ａ  上端部
７ｂ  下端部（第１の端部）
７ｂ’  上端部（第１の端部）
７ｃ  左端部
７ｄ  右端部
８，８’  表示面
９  板金
１０  隙間部
１１ａ，１１ｂ，１１ｃ，１１ｄ  境界線
１２，１２’  境界線（境界）
２０  モジュール駆動回路
２１〜２３  光源
２５  リール用光源（回転胴体機用光源）
３２，４２  被覆部（第１の端部にて覆われている部分）
３３〜３５，４３〜４５  配設部
Ｒ１  曲率半径（第１の曲率半径）
Ｒ２  曲率半径（第２の曲率半径）
【図１】
2011081158.tif 000003
【図２】
2011081158.tif 000004
【図３】
2011081158.tif 000005
【図４】
2011081158.tif 000006
【図５】
2011081158.tif 000007
【図６】
2011081158.tif 000008
【図７】
2011081158.tif 000009
【手続補正書】
【提出日】平成24年5月17日(2012.5.17)
【手続補正１】
【補正対象書類名】特許請求の範囲
【補正対象項目名】全文
【補正方法】変更
【補正の内容】
【特許請求の範囲】
【請求項１】
液晶表示装置と、回転胴体機と、上記回転胴体機の内部で上記回転胴体機を照らす回転胴体機用光源とを備える遊技装置であって、
上記液晶表示装置の表示面を覆い、透明な第１の光学部材と、
上記回転胴体機の前面において上記回転胴体機と離間して配置され、透明な第２の光学部材とを備え、
上記回転胴体機と、上記液晶表示装置と、上記第１の光学部材と、上記第２の光学部材とは、上記遊技装置の背面側からこの順に配置され、
上記第１の光学部材は、厚み方向の断面形状の第１の端部が、第１の曲率半径を有するように形成されており、
上記第２の光学部材は、厚み方向の断面形状の第２の端部が、第２の曲率半径を有するように形成されており、
上記第１の光学部材及び上記第２の光学部材は、
自装置の前面であって上記表示面に垂直な方向から上記回転胴体機を見たときに、上記回転胴体機の、上記液晶表示装置により隠蔽される部分と、上記液晶表示装置により隠蔽されない部分との境界が、上記第１の端部及び上記第２の端部により隠蔽されるように配置されており、
上記第１の曲率半径と、上記第２の曲率半径とが異なることを特徴とする遊技装置。
【請求項２】
上記第１の端部と、上記第２の端部とは、上記第１及び第２の光学部材の厚み方向において重ねて配置されていることを特徴とする請求項１に記載の遊技装置。
【請求項３】
上記液晶表示装置は、さらに、液晶表示装置用光源を備えており、
上記液晶表示装置用光源は、上記液晶表示装置の周縁のうち、上記第１の端部にて覆われている部分を除いた配設部に設けられていることを特徴とする請求項１または２に記載の遊技装置。
【請求項４】
上記液晶表示装置は、さらに、液晶表示装置駆動回路を備えており、
上記液晶表示装置駆動回路は、上記配設部に設けられていることを特徴とする請求項３に記載の遊技装置。
【請求項５】
複数の上記液晶表示装置を備え、
複数の上記液晶表示装置は、それぞれの有する表示面が互いに重ならないように配置されていることを特徴とする請求項１〜４のいずれか１項に記載の遊技装置。
【請求項６】
上記第１の光学部材及び上記第２の光学部材は、アクリルを含むことを特徴とする請求項１〜５のいずれか１項に記載の遊技装置。
【国際調査報告】
2011081158.tif 000010
2011081158.tif 000011
2011081158.tif 000012
2011081158.tif 000013